【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
を備えた、ことを特徴とする、個人別味判定機能を備えた料理もしくは食品の映像提供システム。
【請求項２】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」中の一部又は全部の各料理もしくは食品の映像に対して、「前記判定結果が反映されるような処理、すなわち前記各料理もしくは食品の画像を変形、加工、又は他の画像と合成するなどの反映処理」を行う反映処理手段と、
を備えた、ことを特徴とする、個人別味判定機能を備えた料理もしくは食品の映像提供システム。
【請求項３】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」の中の「前記判定結果と関連する特定の料理もしくは食品の映像」に対して、「前記判定結果が反映されるような処理、すなわち前記各料理もしくは食品の画像を変形、加工、又は他の画像と合成するなどの反映処理」を行う反映処理手段と、
を備えた、ことを特徴とする、個人別味判定機能を備えた料理もしくは食品の映像提供システム。
【請求項４】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」中の一部又は全部の各料理もしくは食品の映像に対して、「前記判定結果が反映されるような処理、すなわち前記各料理もしくは食品の画像を変形、加工、又は他の画像と合成するなどの反映処理」を行う反映処理手段と、を備えた、ことを特徴とする、個人別味判定機能を備えた料理もしくは食品の映像提供システム。
【請求項５】
請求項１から４までのいずれかにおいて、前記『対象複数料理等』は、サービス提供または販売の対象とされており且つ或るユーザーにより指定または選択された複数の料理もしくは食品である、ことを特徴とする、個人別味判定機能を備えた料理もしくは食品の映像提供システム。
【請求項６】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項７】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。
【請求項８】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項９】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。
【請求項１０】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項１１】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。
【請求項１２】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項１３】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。
【請求項１４】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項１５】
サービス提供または販売の対象とされている複数の料理もしくは食品（以下『対象複数料理等』という）の映像をユーザーに向けて表示する表示手段と、
「前記の映像が表示される『対象複数料理等』の中の各料理もしくは食品」の味に関するデータと或るユーザーの味の嗜好に関するデータとに基づいて、「前記の映像が表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。
【請求項１６】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」の中の「前記判定結果と関連する特定の料理もしくは食品の映像」に対して、前記判定結果が反映されるように、前記特定の料理もしくは食品の映像を変形、加工、合成するなどして前記特定の料理もしくは食品の映像の見た目を変える処理を行う反映処理手段と、
を備えた、ことを特徴とする、個人別味判定機能を備えた料理もしくは食品の映像提供システム。
【請求項１７】
サービス提供または販売の対象とされている複数の料理もしくは食品（以下『対象複数料理等』という）の映像を、ユーザーの手元または近傍に存在する情報端末側で表示されるように、遠隔地間で又は現実の店舗内で情報をやり取りするための通信手段により、情報端末側に送信する映像送信手段と、
「前記の映像が送信又は表示される『対象複数料理等』の中の各料理もしくは食品」の味に関するデータと或るユーザーの味の嗜好に関するデータとに基づいて、「前記の映像が送信又は表示される『対象複数料理等』の中の各料理もしくは食品」について、その味が前記或るユーザーの味の嗜好と合致もしくは適合しているかどうか又はどの程度合致もしくは適合しているかを、それぞれ判定する判定手段と、
前記判定手段からの前記判定結果に関する情報に基づいて、「前記の送信又は表示される『対象複数料理等』の映像」中の一部又は全部の各料理もしくは食品の映像に対して、前記判定結果が反映されるように、前記一部又は全部の各料理もしくは食品の映像を変形、加工、合成するなどして前記一部又は全部の各料理もしくは食品の映像の見た目を変える処理を行う反映処理手段と、
を備えた、ことを特徴とする、個人別味判定機能を備えた料理もしくは食品の映像提供システム。